(57)【要約】【課題】  赤外線照射などによって特定の周波数波帯の電磁波を放射する物質に、振動作用を与えて放射を強化する手段を提供し、強化された放射と、振動作用とを共用して利用する方法や装置を提供する。【解決手段】  テラヘルツ波帯の電磁波を放射する半導体である焼結複合鉱体に超音波振動を付与して、変調され強化されたテラヘルツ波帯の電磁波とし、前記電磁波と前記超音波振動との両者を生体や物体の対象部位へ付与する方法と、付与する作用部を具備した機器を提供した。  生体の皮膚部の活性化で美容増進などの効果が得られ、また物体表層の活性化で汚れ払拭性を高めるなどの効果が得られた。【選択図】図１
2009240749.tif 000002
【特許請求の範囲】
【請求項１】
テラヘルツ波帯の電磁波を放射するケイ素化合物主体の焼結複合鉱体からの前記電磁波の放射と、超音波振動との両者を、作用部から対象部位に付与する方法において、
表側が前記対象部位に近接している前記作用部は、前記焼結複合鉱体の集合体で形作られていて、
前記集合体は、前記焼結複合鉱体と金属、あるいは前記焼結複合鉱体と合成樹脂との混合物であって、
前記超音波振動の波帯は低周波から高周波の振動波帯であり、前記作用部の裏側において、
超音波振動発振素子から発振される前記超音波振動は、振動伝達部材を介して前記作用部に伝達されるか、あるいは前記超音波振動発振素子から直接に前記作用部に伝達され、
前記超音波振動のフォノン（音子）の作用で、前記作用部を形作る前記集合体中の前記焼結複合鉱体のキャリヤが励起され、変調され強化されたテラヘルツ波帯の電磁波として前記作用部から前記対象部位に放射され、かつ、前記超音波振動自体が前記作用部を介して前記対象部位に付与されることを特徴とする、
前記焼結複合鉱体からの変調されたテラヘルツ波帯の電磁波の放射と、前記超音波振動発振素子からの前記超音波振動自体との両者を前記対象部位に与える方法。
【請求項２】
前記焼結複合鉱体からの前記電磁波の放射と前記超音波振動との両者を、前記作用部から前記対象部位に付与することが可能な機器であって、
実際の機器の一例としてヘアブラシの例でいえば、前記作用部とは毛髪を梳くための梳きパイル群に当たり、前記対象部位とは毛髪部に当たっていて、
前記焼結複合鉱体の前記集合体によって形作られた前記作用部の表側を、前記対象部位に近接すべき側に備え、
前記作用部の裏側には前記振動伝達部材を介して前記超音波振動を発振する前記超音波振動発振素子が接合され、あるいは前記作用部の裏側には前記超音波振動を発振する前記超音波振動発振素子が直接に接合されていて、
前記超音波振動発振素子の駆動は、外部に置かれた高周波発振器からの高周波電圧の印加により行われるか、あるいは前記機器に内蔵されている高周波発振器からの高周波電圧の印加により行われ、
しかして、前記超音波振動の付与によって、請求項１に記載するフォノンの前記作用で、変調されたテラヘルツ波帯の電磁波の放射と前記超音波振動自体との両者を、前記作用部から前記対象部位に付与することが可能な、前記作用部を具備することを特徴とする機器。
【請求項３】
前記対象部位である顔の皮膚部を摺動することによって、前記皮膚部にマッサ−ジ作用を与える摺動面状体を具備するプロ−ブ型美顔器において、
前記摺動面状体が前記作用部であり、前記焼結複合鉱体の前記集合体で形作られた前記摺動面状体の表側を、前記皮膚部に接する側に備え、
前記摺動面状体の裏側に前記超音波振動を発振する前記超音波振動発振素子が前記振動伝達部材を介して接合しているか、あるいは前記摺動面状体の裏側に前記超音波振動を発振する前記超音波振動発振素子が直接に接合していて、
しかして、前記超音波振動の付与によって前記摺動面状体からの変調された前記テラヘルツ波帯の電磁波の放射を前記皮膚部に付与することが可能であると共に、かつ、前記超音波振動発振素子からの前記超音波振動自体を前記摺動面状体を介して前記皮膚部に付与することが可能な、
請求項２に記載する前記作用部であるところの、前記摺動面状体を具備することを特徴とするプロ−ブ型美顔器。
【請求項４】
前記対象部位である前記毛髪部を梳くための前記梳きパイル群を有する前記ヘアブラシにおいて、
前記梳きパイル群が前記作用部であり、前記焼結複合鉱体の前記集合体で形作られた前記梳きパイル群の全部と根元ベース部とが一体物であるか、あるいは、前記焼結複合鉱体の前記集合体で形作られた、前記梳きパイル群の一部と根元ベ−ス部とが一体物であって、前記梳きパイル群の前記根元ベ−ス部の裏側には、前記超音波振動を発振する前記超音波振動発振素子が前記振動伝達部材を介して接合しているか、あるいは前記超音波振動を発振する前記超音波振動発振素子が直接に接合していて、
しかして、前記超音波振動の付与によって前記梳きパイル群からの変調された前記テラヘルツ波帯の電磁波の放射を前記毛髪部に付与することが可能であると共に、かつ、前記超音波振動発振素子からの前記超音波振動自体を前記梳きパイル群を介して前記毛髪部に付与することが可能な、
請求項２に記載する前記作用部であるところの、前記梳きパイル群を具備することを特徴とするヘアブラシ。
【請求項５】
前記対象部位である足部の温湯浴を行うための容器温湯部を有する足温器において、
前記容器温湯部が前記作用部であり、前記容器温湯部の底部に、前記焼結複合鉱体の前記集合体で形作られた板状体が設置されていて、前記板状体の裏側に前記振動伝達部材を介して前記超音波振動を発振する前記超音波振動発振素子が接合しているか、あるいは前記板状体の裏側に前記超音波振動を発振する前記超音波振動発振素子が直接に接合していて、あるいは、前記板状体の裏側に前記容器温湯部の底盤部を介した裏側に前記超音波振動を発振する前記超音波振動発振素子が前記振動伝達部材を介して接合しているか、または前記超音波振動を発振する前記超音波振動発振素子が前記容器温湯部の前記底盤部を介した裏側に直接に接合していて、
しかして、前記超音波振動の付与によって前記板状体からの変調されたテラヘルツ波帯の電磁波の放射を前記足部に付与することが可能であると共に、かつ、前記超音波振動発振素子からの前記超音波振動自体を前記板状体を介して付与することが可能な、
請求項２に記載する前記作用部であるところの、前記容器温湯部の底部に前記板状体を具備する足温器。
【請求項６】
自動車ボデイ部などの被研摩部を研摩する研摩器であり、前記対象部位である前記被研摩部を研摩する摺動研摩部を具備する研摩器であって、
前記摺動研摩部が前記作用部であり、前記焼結複合鉱体の前記集合体で形作られた前記摺動研摩部が、前記被研摩部に接すべき側に設置され、
前記被研摩部に接しない前記摺動研摩部の裏側に、前記超音波振動を発振する前記超音波振動発振素子が振動伝達部材を介して接合しているか、あるいは前記被研摩部に接しない前記摺動研摩部の裏側に、前記超音波振動を発振する前記超音波振動発振素子が直接に接合していて、
しかして、前記超音波振動の付与によって前記摺動研摩部からの変調されたテラヘルツ波帯の電磁波の放射を前記被研摩部に付与することが可能であると共に、かつ、前記超音波振動発振素子からの前記超音波振動自体を前記摺動研摩部を介して前記被研摩部に付与することが可能な、
請求項２に記載する前記作用部であるところの、前記摺動研摩部を具備することを特徴とする研摩器。
【発明の詳細な説明】
【技術分野】
【０００１】  本発明は、電磁波を放射する物質において、前記物質に機械的振動作用を与えて、前記電磁波の放射強度を高める方法、ならびに応用機器に関する。
【背景技術】
【０００２】  時間的に変化しない電場や磁場はそれぞれ独立に存在し得るが、もし一方でも変化すれば互いに他を誘起しながら、電界と磁界とが互いに直交して、周期的に変化しながら空間を伝わって行く波となる。
うち、電波の発生についていえば、例えば導線にその向きが数十万回変化する交流電流を流せば、前記導線の周囲に変化する電磁場が生じ、その振動は電磁波として四方へ広がって行く。
電磁波の波長によって波長が長い方から短い方に順に、長波からマイクロ波までの電波、赤外線、可視光線、紫外線、Ｘ線、およびγ線などに分類される。
うち、ミリ波と赤外線の中間領域にテラヘルツ（ＴＨｚ；Ｔは１０１２を示す接頭語）波帯の電磁波が存在する。【０００３】  電波は導線なしに伝わること、速度が速いこと（光速度）、遠方まで到達できることなどのために広く無線通信に使われ、指向性の高いマイクロ波帯域は、レ−ダ−などにも使われている。
赤外線は赤外線写真や暖房など、可視光線は普通の写真など、紫外線は殺菌灯など、Ｘ線は診断、透視、結晶構造解析、あるいは製品検査など、γ線は癌の治療などの医療用や品種改良などにおのおの利用されている。【０００４】  一方、超音波は、一般的に可聴周波数である１６〜２００００Ｈｚ（ヘルツ；２０ｋＨｚ）以上の周波数の音波のことで、その発生には、磁歪作用と共振を利用した磁気歪共振子や電歪作用と共振を利用した圧電共振子などが用いられている。
超音波は、空気中では普通の音波より減衰が大きいが、固体や水中などにおける超音波は、特定の方向に向けて強い音波を放射したり、継続時間の短い音波を放射する。
超音波は、工業的な応用として物理加工や洗浄などに用いる場合と、信号伝達の手段として探傷、測深、探知機などに用いる場合とがある。【０００５】  超音波においては、強いエネルギ−をもった音波を発生させることが容易であるので、前者の工業的な応用が行われている。
かような強力超音波の作用は、物理加工や洗浄以外に、化学反応の促進、高分子の分解や攪拌、あるいは発熱などの多くの作用がある。
例えば、薬品、化粧品、写真の感光乳剤の製造、ワクチンの製造、あるいは各種の殺菌などに利用されている。【０００６】  次に、電磁波および超音波を利用した美容、洗浄、あるいは治療などに関する方法や装置の文献の例、および本発明に関連する文献の例を示す。
【特許文献１】特開２００６−２６３４１９
【特許文献２】特開２００６−１５９０１５
【特許文献３】特開２００５−３２３９７０
【特許文献４】特開２００４−１９４８５０
【特許文献５】特開２００１−１７９１９５
【特許文献６】特開２０００−２１７８５４
【特許文献７】国際公開番号ＷＯ２００２／０７９０９３  なお、前記特許文献の以下に記載する概略説明においては、前記各特許文献の表現をそのまま用いている。【０００７】  「特許文献１」は、人の生体の血栓や結石の破壊、薬品の効果などの促進を目的として、電磁波を照射する装置と超音波を照射する装置をそれぞれ生体外に配置し、各エネルギ−の伝達としての役割を兼用する金属性ワイヤ−を生体内に挿入し、超音波振動を生体内に伝達させると共に、プラズマを発生させるという開示である。
「特許文献１」の段落番号「０００７」に、「・・・生体外に設けられた電磁波を発生する手段と、超音波を発生させる手段と、電磁波を発生させる電極の役割と超音波振動を伝える役割を兼用するワイヤ−と、破壊した血栓などを吸引するための手段と、薬品などを注入する手段を備えていることを特徴とする。」、と開示されている。【０００８】  「特許文献２」は、家庭用電子レンジの加熱室に洗浄槽を設けて電磁波を作用させるとか、あるいは携帯電話機からの電磁波を洗浄槽に作用させて、マイクロ波よりも周波数の低いうなりなどによる電磁波を発生させ、これを超磁歪振動子で超音波振動とし、これを用いて簡便に超音波洗浄を行うという開示である。
「特許文献２」の段落番号「００１１」に、「電磁波を照射する電磁波照射装置を用いて、超音波振動子が配設された洗浄槽の内部に浸漬する被洗浄物を洗浄する超音波洗浄方法であって、前記洗浄槽に電磁波を照射する電磁波照射工程と、前記電磁波照射工程によって照射された電磁波を前記超音波振動子に当てて、当該超音波振動子を駆動する駆動工程と、前記駆動工程によって駆動された超音波振動子による超音波を被洗浄物に照射する超音波照射行程と、を含むことを特徴とする超音波洗浄方法。」、と開示されている。
また、「特許文献２」の段落番号「００５０」に、「・・・携帯電話機２０では、・・・」として、「・・・携帯電話機２０が放射する応答信号を含む電磁波を、超磁歪振動子４にも当てることによって、自発磁化の反転に伴って、自発磁化の歪みがそろったり、自発磁化の歪みが四方八方になったりして、全体として形状が高速に変化し、例えば８０Ｈｚから５００Ｈｚの振動数で超磁歪振動子４自体が高速振動するようになる。」、と開示されている。【０００９】  「特許文献３」は、ハンディタイプの美顔器において、超音波振動の付与と遠赤外線の照射、マイナスイオンの放出を同時に選択的に行うことができる美顔器の開示である。
「特許文献３」の段落「要約」の「解決手段」に、「美顔器本体１に設けた超音波振動用金属ヘッド２と、超音波発生手段２０と、遠赤外線用照射部３と、遠赤外線発生手段３０と、温度制御手段３１と、マイナスイオンチップ４と、マイナスイオン発生手段４０と、電源手段５０と接続された電源スイッチ６ａと電源表示ランプ６ｂと機能選択ボタン６ｃと機能選択表示ランプ６ｄとを配設した操作表示部６と、電源手段と共に超音波振動発生手段と遠赤外線発生手段と温度制御手段とマイナスイオン発生手段とを接続させて制御をする中央制御手段６０とを備えた。」、と開示されている。【００１０】  「特許文献４」は、ハンディ型の超音波美顔器において、ヘッド部の感触を改善すると共に、超音波振動子による振動効果に加え、赤外線の温熱効果の発揮を兼ね備えた超音波美顔器の開示である。
「特許文献４」の段落番号「００１０」に、「・・・把持部を有するケ−スの頭部に突出面を備えた超音波ヘッドを設け、該超音波ヘッドの内側に超音波振動子を固設すると共に、該超音波ヘッドの周囲に位置して複数個の赤外線ランプを設け、該赤外線ランプからの光を前記超音波ヘッドの周囲に設けられた透光カバ−を介して発するようにしたことを特徴とする。」、と開示されている。【００１１】  「特許文献５」は、半導体ウエハ基盤などの超音波洗浄において、マイクロ波を洗浄液に照射することによって、洗浄液を活性化し、洗浄効果を高めると共に、洗浄時間を短縮する。
また、電磁波照射洗浄の後ないし前に、あるいは電磁波照射洗浄と同時に、超音波振動を印加して洗浄を行う開示である。
「特許文献５」の、段落番号「００１０」に、「・・・前記洗浄液に対して電磁波を照射して洗浄を行い、電磁波を照射後に前記洗浄槽に超音波振動を印加して洗浄を行うものである。」、と開示され、また、段落番号「００１１」に、「・・・電磁波を照射して電磁波による洗浄と、・・・超音波による洗浄とを同時に併用して洗浄を行うものである。」、と開示されている。
また、段落番号「００１２」には、「・・・超音波洗浄を行い、超音波による洗浄後に、前記洗浄液に対して電磁波を照射して洗浄を行うものである。」、と開示されている。
また、段落番号「００１６」には、「・・・電磁波の周波数は、１ＭＨｚから３０ＧＨｚまで・・・」、と開示されている。【００１２】  「特許文献６」は、超音波治療装置において、患部への生体適合性や改善効率を上げるため、電磁波を熱エネルギ−に変換して吸収する焼結フェライト体を超音波振動子に取り付けて、超音波振動子に印加される電圧を変調して、超音波出力を可変させるという開示である。
「特許文献６」の段落番号「０００７」に、「・・・超音波振動子と、該超音波振動子に取り付けられた所定の厚さからなる焼結フェライト体と、超音波振動子に印加される電圧を変調する変調手段とからなることを特徴としている。」、と開示されている。
また、段落番号「００１０」に、「・・・発振周波数が１〜５ＭＨｚの範囲で適宜選択される周波数を使用するものであり、異なる周波数とする場合には、厚さが異なる、従って発振周波数が異なる複数の超音波振動子９を設けた構成であってもよい。」、と開示されている。
【発明の開示】
【発明が解決しようとする課題】
【００１３】  電磁波および超音波を利用した、洗浄、皮膚美容、養毛、あるいは治療分野などに関する方法や装置が従来から用いられている。
これらの方法や装置には、一方では、対象物にマイクロ波や赤外線などの電磁波と超音波とを同時に作用させるとか、あるいは電磁波と超音波を交互に作用させるなどの考え方がある。
他方では、電磁波を超音波の発振器に作用させて、電磁波によって発振した超音波振動を利用する考え方がある。
例えば、超音波振動を利用した皮膚美容や養毛分野における電磁波の利用は、超音波振動と、電磁波である赤外線帯域の放射の併用型が知られている。
また、超音波洗浄において、超音波振動の付与と、電磁波放射の付与との併用型が知られている。【００１４】  また、電磁波である遠赤外線を含む赤外線照射などで、波長の長い電磁波を放射する物質に、別な機械的振動作用を与えることによって、前記電磁波の放射強度を高め、高められた電磁波を、前記振動作用と共に、皮膚美容や養毛などに利用する技術は未分野と思われる。
さらに、前記電磁波を放射する物質に、機械的振動作用を与えて、前記電磁波の放射強度を高め、高められた前記電磁波の放射を、前記機械的振動作用と共に、生体の対象部位あるいは物体の対象部位に付与する技術は未分野と思われる。【００１５】  遠赤外線を含む赤外線照射などによって特定の電磁波を放射する物質に、機械的振動作用を与えて、前記電磁波の放射を強化する方法を提供すること。
また、強化された特定の電磁波の放射を、前記機械的振動作用と共に利用する技術は未分野であり、それぞれの当業界に望まれている課題である。【００１６】  本発明は、上記従来の課題を考慮して、赤外線照射などによって特定の電磁波を放射する物質に、機械的振動作用を与えて、前記電磁波の放射を強化する方法や装置を提供すること。
および、強化した特定の電磁波の放射を、前記機械的振動作用と共用して利用する方法、および装置、ならびに具体的なその適用機器を提供することを目的とする。
【課題を解決するための手段】
【００１７】  本発明は「特許文献７」に開示されている人工鉱石と呼称しているケイ素化合物主体の焼結体をベ−スとしている。
「特許文献７」に開示の前記人工鉱石は、一例として次の如き製造方法で作られると開示されている。
すなわち、「特許文献７」の６頁４行以下に、「略真空状態下で１６５０〜１６８０℃に加熱した真空溶融炉に８０重量％の粉末状の珪素を投入し、その後、５重量％の粉末状の鉄と５重量％の粉末状アルミニウムと５重量％のカルシウムとを３〜５分間隔で順に投入するとともに攪拌混合し、その後、真空溶融炉から溶融物を取出し、常温中で自然冷却することによって塊状の人工鉱石を生成した。
次に、上記塊状の人工鉱石を、略真空状態で１７５０℃〜１８００℃に加熱した真空溶融炉で再度溶融し、その後、溶融物を取り出し、常温中で自然冷却することによって塊状の人工鉱石を生成した。
次に、上記塊状の人工鉱石を、略真空状態下で２０００℃〜２０５０℃に加熱した真空溶融炉で再度溶融し、その後、溶融物を取出し、常温中で自然冷却するとによって塊状の人工鉱石を生成した。」、と開示されている。【００１８】  発明者は「特許文献７」に触発されて、前記人工鉱石の利用技術について検討の途上、前記人工鉱石は、赤外線、特に遠赤外線の照射によってテラヘルツ波帯の電磁波を放射する特性があることを見いだした。
「特許文献７」には、前記人工鉱石にテラヘルツ波帯の電磁波を放射するものがあるとの開示はなく、さらに前記電磁波に関する開示もない。
「特許文献７」には開示されていない特性の利用であるところから、「特許文献７」でいう人工鉱石という呼称とは区別する必要がある。
したがって、本発明においては、前記人工鉱石の呼称を、以降「テラヘルツ波帯の電磁波を放射するケイ素化合物を主体とする焼結複合鉱体」、略称としては「焼結複合鉱体」と称することにするものである。【００１９】  テラヘルツ波帯の電磁波を生体の細胞などに放射すると、前記細胞などが活性化し、前記生体の新陳代謝を促すなどの作用があることが分かった。
この理由は、テラヘルツ波帯の電磁波は波長が長いので、生体中を透過したり吸収されたりして、前記生体の細胞などを活性化する作用があるものと推定される。
同様に、生体ばかりでなく物体の表層部を活性化して、見かけの表面張力を下げるなどの作用があることが分かった。
また、前記焼結複合鉱体に超音波振動を付与すると、前記焼結複合鉱体からのテラヘルツ波帯の電磁波の放射が強化され、さらにテラヘルツ波帯の電磁波の放射と超音波振動の付与とを共用すると、前記作用が増大することが分かった。【００２０】  発明者は鋭意検討の結果、以下の発明に至ったものである。
すなわち、図１に描く如く、テラヘルツ波帯の電磁波を放射するケイ素化合物主体の焼結複合鉱体からの前記電磁波の放射と超音波振動との両者を作用部１の表面７から対象部位４に付与する方法の発明である。
表側が対象部位４に近接している作用部１は、前記焼結複合鉱体の集合体で形作られていて、前記集合体は前記焼結複合鉱体と金属、あるいは前記焼結複合鉱体と合成樹脂との混合物である。
作用部１の裏側においては、図１の左図（Ａ）に描く如く、超音波振動発振素子３からの前記超音波振動が超振動伝達部材２を介して作用部１に伝達されるか、あるいは図１の右図（Ｂ）に描く如く、超音波振動発振素子３からの前記超音波振動が直接に作用部１に伝達される。【００２１】  図１に示す如く、超音波振動５のフォノン（音子）の作用で、作用部１を形作る前記集合体中の半導体である前記焼結複合鉱体のキャリヤが励起され、変調され強化されたテラヘルツ波帯の電磁波８として作用部１から対象部位４に放射されると共に、かつ、超音波振動６自体が作用部１を介して対象部位４に付与されることを特徴とする。
前記超音波振動の振動波帯は、低周波から高周波の振動波帯である。
しかして、前記焼結複合鉱体からの変調されたテラヘルツ波帯の前記電磁波の放射と、前記超音波振動発振素子からの前記超音波振動自体との両者を、前記対象部位に与える方法の発明に至ったものである。【００２２】  また、前記焼結複合鉱体からの前記電磁波の放射と前記超音波振動との両者を、図１に描く作用部１から対象部位４に付与することが可能な機器の発明である。
実際の機器の一例として、図１における作用部１とは、ヘアブラシの例でいえば、毛髪を梳くための梳きパイル群に当たり、対象部位４とは毛髪部に当たる。
図１の左図（Ａ）に描く如く、前記焼結複合鉱体の前記集合体によって形作られた作用部１の表側を対象部位４に近接すべき側に備え、作用部１の裏側には、振動伝達部材２を介して前記超音波振動を発振する超音波振動発振素子３が接合され、あるいは図１の右図（Ｂ）に描く如く、前記超音波振動を発振する超音波振動発振素子３が直接接合されていている。
前記超音波振動発振素子の駆動は、外部に置かれた高周波発振器からの高周波電圧の印加により行われるか、あるいは前記機器内に内蔵されている高周波発振器からの高周波電圧の印加により行われる。
超音波振動発振素子３が発振する前記超音波振動の振動波帯は、低周波から高周波の前記振動波帯である。
しかして、変調されたテラヘルツ波帯の電磁波の放射と、前記超音波振動自体との両者を、作用部１から対象部位４に付与することが可能な、前記作用部を具備することを特徴とする機器の発明である。【００２３】  具体例として、図３に描く如く、前記対象部位である顔の皮膚部を摺動することによって、前記皮膚部にマッサ−ジ作用を与える摺動面状体の摺動面１４を具備するプロ−ブ型美顔器の発明である。
前記摺動面状体が前記作用部であり、前記焼結複合鉱体の前記集合体で形作られた前記摺動面状体の表側の摺動面１４を、前記皮膚部に接する側に備え、前記摺動面状体の裏側には、前記超音波振動を発振する前記超音波振動発振素子が前記振動伝達部材を介して接合しているか、あるいは前記超音波振動を発振する前記超音波振動発振素子が直接に接合している。
しかして、前記超音波振動の付与によって前記摺動面状体からの変調された前記テラヘルツ波帯の電磁波の放射を前記皮膚部に付与することが可能であると共に、かつ、前記超音波振動発振素子からの前記超音波振動自体を前記皮膚部に付与することが可能な、前記摺動面状体を具備することを特徴とするプロ−ブ型美顔器の発明である。【００２４】  また、具体例として、図５に描く如く、前記対象部位である前記毛髪部を梳くための梳きパイル群２９を有するヘアブラシの発明である。
梳きパイル群２９が前記作用部であり、前記焼結複合鉱体の前記集合体で形作られた、梳きパイル群２９の全部と根元ベ−ス部とが一体物であるか、あるいは、前記焼結複合鉱体の前記集合体で形作られた、梳きパイル群２９の一部と根元ベ−ス部と一体物である。
前記焼結複合鉱体の前記集合体で形作られた梳きパイル群２９の前記根元ベ−ス部の裏側には、前記超音波振動を発振する前記超音波振動発振素子が前記振動伝達部材を介して接合しているか、あるいは前記超音波振動を発振する前記超音波振動発振素子が直接に接合していている。
しかして、梳きパイル群２９からの変調された前記テラヘルツ波帯の電磁波の放射を前記毛髪部に付与することが可能であると共に、かつ、前記超音波振動発振素子からの前記超音波振動自体を梳きパイル群２９から前記毛髪部に付与することが可能な、前記梳きパイル群を具備することを特徴とするヘアブラシの発明である。【００２５】  また、具体例として、図９に描く如く、前記対象部位である足部の温湯浴を行うための容器温湯部６０を有する足温器の発明である。
容器温湯部６０が前記作用部であり、図９の左図（Ｇ）および右図（Ｈ）に描く如く、容器温湯部６０の底部に前記焼結複合鉱体の前記集合体で形作られた板状体６２が設置されている。
図９の左図（Ｇ）に描くように、板状体６２の裏側に容器温湯部６０の底盤部６１を介した裏側に前記超音波振動を発振する前記超音波振動発振素子が振動伝達部材６３を介して接合しているか、または図９の右図（Ｈ）に描くように前記超音波振動を発振する超音波振動発振素子６４が容器温湯部６０の底盤部６５を介した裏側に直接に接合している。【００２６】  また、具体例として、図１０に描く如く、前記対象部位である足部の温湯浴を行うための容器温湯部６０を有する別タイプの足温器の発明である。
図１０に描くように、前記焼結複合鉱体の前記集合体で形作られた板状体６２、前記板状体の裏側に接合する前記振動伝達部材６３、この裏側に接合する前記超音波振動を発振する超音波振動発振素子６４が各接合し、この三者が一体の密封パック６６となっている。
しかして、図９の左図（Ｇ）および右図（Ｈ）、また図１０に描く如く、板状体６２からの変調された前記テラヘルツ波帯の電磁波の放射を前記足部に付与が可能であると共に、かつ、前記超音波振動発振素子からの前記超音波振動自体を板状体６２を介して付与することが可能な容器温湯部６０であり、前記作用部である容器温湯部６０の前記底部に、前記板状体を具備していることを特徴とする足温器の発明である。【００２７】  また、具体例として、自動車ボデイ部などの被研摩部を研摩する研摩器で、前記対象部位である前記被研摩部を研摩する摺動研摩部を具備する研摩器の発明である。
前記摺動研摩部が前記作用部であり、図１１に描く如く、前記焼結複合鉱体の前記集合体で形作られた摺動研摩部７１が、前記被研摩部に接すべき側に設置され、前記被研摩部に接しない摺動研摩部７１の裏側には、前記超音波振動を発振する前記超音波振動発振素子が振動伝達部材を介して接合している。
ただし、前記振動伝達部材は必ずしも必要ではない。
しかして、摺動研摩部７１からの変調されたテラヘルツ波帯の電磁波の放射を前記被研摩部に付与することが可能であると共に、かつ、前記超音波振動発振素子からの前記超音波振動自体を前記被研摩部に付与することが可能な、前記作用部である前記摺動研摩部を具備することを特徴とする研摩器の発明である。
【発明の効果】
【００２８】（１）  赤外線照射によってテラヘルツ波帯の電磁波を放射するケイ素化合物主体の焼結複合鉱体に、超音波振動を与えて、前記超音波のフォノン（音子）の作用で、前記焼結複合鉱体のキャリヤを励起して、テラヘルツ波帯の電磁波の放射を強化させることができる技術を提供した。
また、強化されたテラヘルツ波帯の電磁波の放射と前記超音波振動との共用によって、生体の活性化作用など、あるいは、物体の見かけの表面張力の低下作用などが発揮され、従来の器具であるプロ−ブ型美顔器、ヘアブラシ、足温器、あるいは研摩器などの機器の機能向上や、前記器具に付加価値を付与することが可能になった。
（２）  生体への適用例として、プロ−ブ型美顔器への適用においては、前記焼結複合鉱体からのテラヘルツ波帯の強化された電磁波の放射と超音波振動の付与とを共用することで、マッサ−ジ時に皮膚部における新陳代謝を効果的に促し、滑らかで張りのある皮膚部にする機能向上効果が発揮された。
（３）  ヘアブラシへの適用においては、前記テラヘルツ波帯の強化された電磁波の放射と前記超音波振動の付与とを共用することで、毛髪のブラッシング時に毛髪部を活性化して養毛作用を与え、場合によっては発毛作用も発揮する場合があるヘアブラシの提供ができた。
（４）  足湯器への適用においては、前記テラヘルツ波帯の強化された電磁波の放射と超音波振動の付与とを共用することで、温湯浴に、足部のマッサ−ジ作用や、足部の皮膚の活性化作用が発揮されて、足部の皮膚を滑らかで張りのある状態にする足温器の提供ができた。
（５）  また、物体への適用例として、研摩器への適用においては、前記焼結複合鉱体からのテラヘルツ波帯の強化された電磁波の放射と、超音波振動の付与とを共用することで、被研摩部の見かけの表面張力を低める作用が得られるので、汚れ払拭性を高め、洗剤の使用が少なくて済むか、あるいは洗剤不要の研摩機器の提供ができた。
（６）  前記に各例示したように、前記焼結複合鉱体からのテラヘルツ波帯の強化された電磁波の放射と、超音波振動の付与とを共用することで、生体の表層の活性化、あるいは物体の表層の活性化が生起し、生体においては新陳代謝の促進など、物体においては見かけの表面張力を下げるなどの作用があり、この技術の適用可能な技術分野が多い。
【発明を実施するための最良の形態】
【００２９】  発明の実施の形態を実施例にもとづき、図面や表を参照して説明する。
図１は、本発明の概念を説明するための側面概念略図である。
図１において、テラヘルツ波帯の電磁波を放射するケイ素化合物主体の焼結複合鉱体の集合体によって形作られた作用部１に、超音波振動発振素子３が発振する超音波振動の一部である超音波振動５を付与することによって、変調され強化されてテラヘルツ波帯の電磁波８として放射され、対象部位４に至ることを概念的に示している。
他方、超音波振動発振素子３が発振する前記超音波振動の一部である超音波振動６自体が、前記焼結複合鉱体の集合体によって形作られた作用部１を介して、対象部位４に至ることを概念的に示している。【００３０】  例えばヘアブラシの場合であれば、図１に描く対象部位４は生体である毛髪部で、図１に描く作用部１は、図５に描く前記毛髪部を梳く梳きパイル群２９である。
また、研摩器の場合であれば、図１に描く対象部位４は物体である自動車のボデイなどの被研摩部であり、図１に描く作用部１は、図１１に描く前記被研摩部を研摩する摺動研摩部７１である。
かように図１は、超音波振動５の付与によって、前記焼結複合鉱体の集合体１からの変調され強化された前記テラヘルツ波帯の電磁波８の放射を、対象部位４に放射すると共に、かつ、作用部１を介して超音波振動６自体を対象部位４に付与する仕組みを概念的に示している。【００３１】  なお、図１の左図（Ａ）における振動伝達部材２は、超音波振動発振素子３で発振された前記超音波振動を、面積的に広げて作用部あるいは本来作用部１に伝達したり、共振作用を補助する働きをする部材である。
前記部材の材質は、鉄鋼材、銅材、あるいは青銅などの合金などの金属材、磁器や陶器、合成樹脂、あるいはこれらの混合材など、できるだけ高密度の材料で作られた板状やロッド状部材とする。
前記超音波振動発振素子の形状や、前記焼結複合鉱体の集合体によって形作られた作用部の形状によっては、振動伝達部材２は不要であり、その場合は図１の右図（Ｂ）に描くように、超音波振動発振素子３で発振された前記超音波振動を作用部１に直接伝達する。【００３２】  図１における作用部１の具体例として、例えば、図３に描くプロ−ブ型美顔器について説明する。
図１における作用部１の具体例は、図３に描く前記焼結複合鉱体の前記集合体で形作られた作用部である前記摺動面状体の摺動面１４であり、図１における対象部位４の具体例である顔の皮膚部を摺動面１４で摺動してマッサ−ジする。
前記プロ−ブ型美顔器で顔をマッサ−ジするときに、摺動面１４からの前記テラヘルツ波帯の電磁波の放射と前記超音波振動の付与で、顔の皮膚部とその近傍部の新陳代謝を促し、前記皮膚部を滑らかで張りのある状態にする効果を発揮するものである。【００３３】  また、図１における作用部１の具体例として、例えば、図５に描くヘアブラシについて説明する。
図１における作用部１の具体例は、図５に描く前記焼結複合鉱体の前記集合体で形作られた前記作用部である梳きパイル群２９であり、図１における対象部位４の具体例である前記毛髪部を梳きパイル群２９でブラッシングする。
梳きパイル群２９で前記毛髪部をブラッシングするときに、前記作用部である梳きパイル群２９からの、前記テラヘルツ波帯の電磁波の放射と前記超音波振動の付与で、前記対象部位である毛髪部やその根元部を活性化して養毛作用を与え、発毛作用も促す場合もあるなどの効果を発揮するものである。【００３４】  また、図１における作用部１の具体例として、例えば、図９および図１０に描く足温器の容器温湯部６０について説明する。
図１における作用部１の具体例として、図９および図１０に描く前記焼結複合鉱体の前記集合体で形作られた板状体６２を底部に備えた前記作用部である容器温湯部６０であり、図１における対象部位４の具体例である足部を、容器温湯部６０で温湯浴して用いる。
前記足部を容器温湯部６０で温湯浴中に、容器温湯部６０の底部に備えた板状体６２からの前記テラヘルツ波帯の電磁波の放射と前記超音波振動の付与で、足温時に足部のマッサ−ジ作用や、足の皮膚の活性化作用が発揮されて、足部の皮膚を滑らかで張りのある状態にする効果を発揮する。【００３５】  また、図１における作用部１の具体例として、例えば、図１１に描く研摩器について説明する。
図１における作用部１の具体例として、図１１に描く前記焼結複合鉱体の前記集合体で形作られた摺動研磨部７１部であり、図１における対象部位４の具体例である前記被研磨部を、摺動研摩部７１で摺動研摩する。
図１１に描く前記研摩器で被研摩部を摺動研摩するときに、摺動研摩部７１からの前記テラヘルツ波帯の電磁波の放射と前記超音波振動の付与で、前記被研摩部の表面層を活性化し、見かけの表面張力を下げ、前記被研摩部の汚れの払拭性を上げる効果を発揮するものである。【００３６】  次に、前記作用部として、前記焼結複合鉱体をその集合体として用いる理由を説明する。
前記焼結複合鉱体は非常に硬い物質で、前記作用部のそれぞれの任意の形状に切削加工や塑性加工などをすることができない。
したがって、粉体状などの前記焼結複合鉱体と、任意の形状に加工し易い金属や合成樹脂との混用体として用いるゆえ、前記焼結複合鉱体の集合体と称するものである。【００３７】  次に、前記焼結複合鉱体が、前記テラヘルツ波帯の電磁波を放射する作用と、その効果について説明する。
ミリ波と赤外線の中間帯域にあるテラヘルツ波帯の電磁波は、一般的に大凡周波数０．１〜１０ＴＨｚの波帯のことを云い、前記波帯の電磁波の発生技術、検出や測定が困難なことから、研究が十分には進んでなく電磁波技術の暗黒領域などと云われている。
しかしながら、前記焼結複合鉱体は、ＦｅＳｉ２を主成分とする半導体であり、熱のあるところに存在する赤外線を含むテラヘルツ波帯の電磁波を受信し、変調されたテラヘルツ波帯の電磁波を放射する特性をもつと推定される。
かような前記焼結複合鉱体に前記超音波振動を付与すると、さらに変調されて強められたテラヘルツ波帯の電磁波を放射することが分かった。
この理由は、前記焼結複合鉱体の内部で、テラヘルツ波帯の電磁波を発生させるキャリヤ（半導体の伝導電子や正孔のような電荷を運ぶ役目をするもの）が、超音波のフォノン（音子）の作用で活性化され、変調されて、テラヘルツ波帯の電磁波を強めて放射するものと考えられる。【００３８】  検討の結果、遠赤外線領域を含む赤外線の存在下でテラヘルツ波帯の電磁波を放射する、前記焼結複合鉱体が多種類存在することが分かった。
図２に示すグラフは、前記赤外線存在下で一例としての前記焼結複合鉱体において、テラヘルツ波帯近辺の電磁波の波数と、前記焼結複合鉱体の反射率との関係を、通常のケイ素との比較において示したグラフの略図である。
前記グラフは、レ−ザ−放射波による反射・透過率測定装置を用いて、前記焼結複合鉱体の電磁波の放射特性を推定したグラフで、横軸に波数（ｗａｖｅ  ｎｕｍｂｅｒ）ｓ（ｍ−１）、縦軸に反射率ｒ（％）をとったグラフの略図である。
波数とは、波について、同じ状態が単位長の間に繰り返される数を云う。
一定の波長λをもつときには、波数ｓは、ｓ＝（１／λ）で、波数は波長の逆数であるので、前記放射波が一定の波長をもつ波とすれば、波数１０００（ｍ−１）が、０．３ＴＨｚに相当する。【００３９】  図２に示すグラフにおいて、試料ｃは通常のケイ素の場合、試料ｂは一例としての前記焼結複合鉱体の場合であり、資料ａは前記焼結複合鉱体である試料ｂに１メガヘルツ（ＭＨｚ；Ｍは１０９を示す接頭語）の超音波振動を付与しつつ測定した例である。
前記グラフによると、境界は定かでないが波数が３００（０．１ＴＨｚ相当）程度から波数が大凡３０００（１ＴＨｚ相当）付近程度までの範囲で、試料ｃより試料ｂの方が反射率が高く、試料ａは試料ｂよりさらに反射率が高いことを示している。【００４０】  試料ｃの反射率の曲線より、試料ｂの反射率が高い曲線部分は、試料ｂの反射率自体に前記焼結複合鉱体から放射される分が加算されているものと推定される。
また、試料ｂの反射率より、試料ａの反射率が高い曲線部分は、試料ｂに前記超音波振動を付与しつつ測定した効果が加算されているものと推定される。
なお、試料ｃに前記超音波振動を付与しつつ測定しても、試料ｃの反射率の曲線の形状は変わらないことが分かった。【００４１】  つまり、試料ｃに比較して、前記電磁波周波数の範囲において、試料ｂはテラヘルツ波帯の電磁波が放射されているものと推定され、試料ｂに前記超音波振動を付与した場合の試料ａは、さらに高い電磁波を放射していることが推定される。
また、前記測定に用いた前記焼結複合鉱体とは異なる幾つかの前記焼結複合鉱体における同様な測定結果から、周波数が大凡０．１ＴＨｚから１０ＴＨｚ程度までの範囲の電磁波が放射される同類の焼結複合鉱体があることも推定された。
また、付与した超音波振動については、大凡３０ｋＨｚ（キロヘルツ）から７ＭＨｚ程度までの範囲において、テラヘルツ波帯の放射を強める作用があることが推定された。【００４２】  このように本発明は、テラヘルツ波帯の電磁波を放射する前記焼結複合鉱体に、前記超音波振動を付与することで、超音波の前記フォノンの作用で変調され強められたテラヘルツ波帯の電磁波の放射と、前記超音波振動自体との共用作用で、図１に示す生体の対象部位あるいは物体の対象部位４を活性化することに利用する発明である。
本発明でいう前記テラヘルツ波帯の電磁波の周波数の波帯としては、大凡０．１ＴＨｚ〜１０ＴＨｚ程度までの電磁波の波帯をいう。
また、本発明でいう超音波振動の周波数の波帯は、低周波超音波振動から高周波超音波振動の範囲の波帯であり、大凡３０ｋＨｚ〜７ＭＨｚ程度までの超音波振動の波帯をいう。【００４３】  前記したように本発明においては、図１における作用部１であるところの、前記焼結複合鉱体の集合体による、前記プロ−ブ型美顔器の前記摺動面状体、前記ヘアブラシの前記梳きパイル群、前記足温器の前記容器温湯部の前記板状体、あるいは前記研摩器の前記摺動研摩部などから、前記対象部位に、比較的に波長が長いテラヘルツ波帯の電磁波が放射されると共に、超音波振動が付与される。
前記電磁波は、前記対象部位である生体においては、顔の皮膚部、毛髪部、あるいは足部の表層部のキャリア、あるいは物体においては被研摩部の表層部のキャリヤを励起して、新たな周波数のテラヘルツ波に変換するなどの作用が生起すると共に、付与される超音波振動自体との相乗作用で、前記対象部位である生体の表層部など、また、物体の表層部を活性化するものと考えられる。【００４４】  次に、本発明に使用する各部材について説明する。
先ず、図１に示す、作用部１を形作る、前記焼結複合鉱体の集合体について説明する。
前記したように、前記焼結複合鉱体は熱で溶解し難く硬度が極めて高いなど、前記焼結複合鉱体のみで作用部１の形状になるように、溶融成形加工、切削加工、あるいは塑性変形加工などで付形することは困難である。
したがって、前記焼結複合鉱体と金属との集合体、あるいは前記焼結複合鉱体と合成樹脂との集合体として、各種の前記作用部の形状に加工して用いる。【００４５】  前記焼結複合鉱体と金属との前記集合体とする場合には、前記焼結複合鉱体を粒径５〜１２０μｍ程度のサイズの粉体として、前記金属の熱溶融状体のもとで、合金（アロイ）状に混用して、前記焼結複合鉱体の集合体とする。
前記集合体を、前記作用部における各種の形状に付型する方法は、混用する前記金属の加工性に合わせて、切削、打抜き、プレス、など、また、再溶融してダイカスト準拠法などが適用できる。【００４６】  前記焼結複合鉱体と合成樹脂との前記集合体とする場合には、前記焼結複合鉱体の前記粉体と合成樹脂とを混用して、前記焼結複合鉱体の集合体とする。
ポリカ−ボネ−ト樹脂、ポリエステル樹脂、あるいはナイロン樹脂などの熱可塑性合成樹脂の場合には、熱溶融状態のもとで混合して、射出成形、あるいは押出成形などで、前記作用部の形状に付型する。
不飽和ポリエステル樹脂などの熱硬化性合成樹脂の場合には、前記焼結複合鉱体の前記粉体を熱硬化性合成樹脂が流動性のある重合体の段階で混用体とし、前記混用体を加熱することで化学結合して硬化させる方法が適用でき、熱硬化前の流動性のあるときに所要の形状にする方法で付型して、前記作用部の形状とする。【００４７】  次に、図１に示す、超音波振動発振素子３について説明する。
図１における超音波振動発振素子３は、前記低周波超音波振動から前記高周波超音波振動の間の一つの超音波振動を出力する超音波振動発振素子を用いる。
前記超音波振動発振素子は、図１に描くような１個使用でなく、例えば２〜３個使用というように複数個用いてもよいが、共振性を補完するように考慮する必要がある。【００４８】  前記超音波振動発振素子の例として、チタン酸バリウム（ＢａＴｉＯ３）系や、チタン酸ジルコン酸鉛（Ｐｂ［Ｚｒ，Ｔｉ］Ｏ３；ＰＺＴ）系のような、電歪効果のある圧電セラミックを用いる。
かような圧電セラミックの電極間に交番電圧を加えると、その周波数に応じて伸縮またはすべり歪が生じて超音波振動を発振する。
但し、チタン酸バリウム系の超音波振動発振素子は、電歪効果が失われる温度、すなわちキュリ−温度が１２０℃と比較的低いので、稼働中に大凡１００℃程度以上になる恐れのある場合には、キュリ−温度が高いチタン酸ジルコン酸鉛系の超音波振動発振素子などを使用する。【００４９】  一般に前記超音波振動エネルギは小さく、したがって一つの周波数を用いる場合には、圧電素子の形状や寸法で決まる機械的共振周波数を利用すると、その振動変位は極端に増大し、非常に効率の良い発振素子となる。
本発明で用いる超音波振動発振素子は、一つの周波数を使用する場合が多く、１０ＭＨｚ程度までの高周波数の超音波振動を発振できる、圧電共振子を用いると効率がよい。
圧電共振子は一例として、ＮＥＣト−キン株式会社、あるいはＦＤＫ株式会社などで部品として供給されていて、そのうちの円板型あるいは角板型が本発明に適用できる
また他方、磁歪効果のある磁気歪共振子などの超音波振動発振素子を適用することもできる。
しかしながら、磁気歪共振子は発振する周波数が１００ｋＨｚ程度までと低いので、高周波発振を得ることが必要な場合には高調波励振を利用する。【００５０】  圧電共振子や磁気歪共振子などの超音波振動発振素子を駆動するには、高周波電圧の印加が必要であり、高周波電圧を発生させる高周波電圧発振器が必要である。
高周波電圧発振器は、本発明の機器の外部に置いて、外部の高周波電圧発振器から高周波電圧を電線で本発明の適用機器の超音波振動発振素子に印加してもよいが、高周波電圧発振器を小型化して本発明の機器の内部に電源用電池と共に設置してもよい。
なお、高周波電圧発振器の構成の例をあげれば、発振回路、電圧増幅器または制御部、電力増幅器またはスイッチング回路、インピ−ダンス整合回路、信号検出回路、および電源部からなる。
なお、使用する圧電共振子の発熱などによって共振周波数が変化し、励磁周波数とずれることがあり、これが異なれば共振による大きなエネルギが得られないので、振動子の振動変位に対応する振動電圧をピックアップして、前記振動電圧を発振回路に帰還する帰還回路を設ける。【００５１】  付与する前記超音波振動のパワ−は、対象部位が生体の場合には、発熱障害などを防ぐために、作用部あるいは本来作用部において、３Ｗ（ワット）／ｃｍ２以下になるような超音波振動発振素子を選択する必要がある。
しかしながら、対象部位が物体の場合には、さらに高パワ−でもよい。
しかしながら、本発明を実施する多くの場合は、作用部で０．５〜２Ｗ／ｃｍ２程度のパワ−を出力する超音波振動発振素子を用いる。【００５２】  次に、前記超音波振動発振素子、前記振動伝達部材、および前記作用部間の接合方法について説明する。
超音波振動の伝導は、空気などの気体中では殆どパワ−が伝導せず、また軟質材中でもパワ−伝導性が低い。
したがって、図１の左図（Ａ）における超音波振動発振素子３と振動伝達部材２間、振動伝達部材２と作用部１間、また、図１の右図（Ｂ）における超音波振動発振素子３と作用部１間の接合は、接合部分に空気層ができないように接合する。
各部材間の接合は、硬化後に硬くなる接着剤の使用による接着接合法、熱溶着法、あるいは嵌合法などで、空気層ができないように強固に接合することが肝要である。【００５３】  次に、本発明を適用する機器の例について説明する。
本発明を適用する機器については、図３に描く如き前記プロ−ブ型美顔器、図５に描く如き前記ヘアブラシ、図９および図１０に描く如き前記足温器、あるいは図１１に描く如き前記研摩器などの例がある。
かかる機器以外に、イアホ−ン、あるいはイアホ−ンヘッドに適用すれば、耳の機能回復や耳鳴り回復などのケア面などに効果を発揮することが分かった。
また、眼部への作用付与として眼鏡型の適用器を試作して検討したところ、疲れ目のケアや視野の改善などの作用効果を発揮することが分かった。
このように、本発明の適用例として具体的に機器名を前記したが、本発明が前記などの具体的な機器に限定されるものではなく、前記した本発明の方法、本発明の適用機器などが本発明に含まれる。
【実施例１】
【００５４】  図３は、本発明を適用したプロ−ブ型美顔器の斜視略図である。
図３において、ハンド把持部１６を手で持って、前記対象部位である顔面の皮膚部を摺動面状体の摺動面１４で摺動マッサ−ジすると同時に、摺動面１４からのテラヘルツ波帯の電磁波の放射と超音波振動が前記顔面の皮膚部に付与され、前記顔面皮膚部を活性化する構造である。
高周波電圧の力入力コ−ド部１５は、図示してない所要の高周波電圧発振器から、高周波電圧を入力するためのコ−ド端末部である。【００５５】  図４は、図３に描くプロ−ブ型美顔器のＫ−Ｋ断面略図である。
ケ−シング２４は、ポリエステル樹脂製とし、試作した前記プロ−ブ型美顔器のサイズは、図３のＫ−Ｋ断面部である図４の左図（Ｃ）ならびに右図（Ｄ）において、高さ方向は４０ｍｍ、幅方向は７０ｍｍとした。
図４における左図（Ｃ）は、図１においては左図（Ａ）に対応していて振動伝達部材２を有する場合であり、図４の左図（Ａ）に描くように超音波振動発振素子２０からの超音波振動が振動伝達部材２１を介して、前記焼結複合鉱体の前記集合体によって形作られた前記作用部である摺動面状体２２に伝達される。
図４における右図（Ｄ）は、図１においては右図（Ｂ）に対応していて振動伝達部材が無い場合で、図４の右図（Ｄ）に描くように超音波振動発振素子２０が直接に前記焼結複合鉱体の前記集合体によって形作られた作用部である摺動面状体２３に伝達される。【００５６】  次に、使用した各部材の説明をする。
超音波振動素子２０としては、チタン酸バリウム系の発振周波数１ＭＨｚの圧電共振子を用いた。
前記超音波振動発振素子に所要の高周波電圧を供給する高周波電圧発振器は、他の同様な器具にも使用できるように、周波数とパワーを切替え可能な高周波電圧発振器とした。【００５７】  図４の左図（Ｃ）における振動伝達部材２１はステンレス鋼を用い、円形で径は５０ｍｍ、厚さは中心部で平均５ｍｍとした。
また、図４の左図（Ｃ）における前記焼結複合鉱体の前記集合体によって形作られた摺動面状体２２、および右図（Ｄ）における前記焼結複合鉱体の前記集合体によって形作られた摺動面状体２３は、ニッケル・銅合金とした。
前記集合体は、粒径５〜１２０ｕｍの前記焼結複合鉱体の粉体を、溶融状体の前記ニッケル・銅合金に対し５０％混合してチップ状に冷却し、ダイカスト法に準拠して付型し、前記摺動面状体とし、摺動面１４を研摩して鏡面状とした。
図４において、左図（Ｃ）の超音波振動発振素子２０と振動伝達部材２１間、振動伝達部材２１と摺動面状体２２間、ならびに右図（Ｄ）の超音波振動発振素子２０と摺動面状体２３間の接合は、エポキシ系の接着剤で接着接合した。【００５８】  以上の如く試作した図４の左図（Ｃ）、右図（Ｄ）に示す２種類のプロ−ブ型美顔器に、前記高周波電圧発振器からの１ＭＨｚの高周波電圧を、超音波振動発振素子２０に印加して、１ＭＨｚの超音波振動を発振させて、その効果を検討した。
なお、超音波振動のパワ−は、前記焼結複合鉱体の前記集合体によって形作られた摺動面１４において、各０．８Ｗ／ｃｍ２になるようにセットした。【００５９】  評価としては、試作した図４の左図（Ｃ）、右図（Ｄ）に示す２種類のプロ−ブ型美顔器について、おのおの被検者として２０〜４０代の女性５名に、顔面の膚部を前記焼結複合鉱体の集合体によって形作られた摺動周面状体２２あるいは２３の摺動面１４部での、摺動マッサ−ジ賦与を、１日の朝夕２回各５分間づつ１０日間続けた。【００６０】  結果としては、試作した図４の左図（Ｃ）、右図（Ｄ）に示す２種類のプロ−ブ型美顔器とも、前記女性５名全員に、あたかも顔面パック後のような、滑らかで張りのある顔面皮膚にする効果が確認された。
また、試作した図４の左図（Ｃ）、右図（Ｄ）に示す２種類のプロ−ブ型美顔器に効果の差は殆ど認められなかった。
さらに、同様な評価法で市販の超音波振動賦与のみのプロ−ブ型美顔器との比較においても、滑らかで張りのある顔面皮膚にする効果が著しく高いことが確認された。
【実施例２】
【００６１】  図５は、本発明を適用したヘアブラシの側面略図である。
図５におけるケ−シング３８は、ポリエステル樹脂製とし、試作したヘアブラシのサイズは、梳きパイル群２９の存在部分で、図において長さ方向は１０５ｍｍ、高さ方向は３５ｍｍ、幅方向は６０ｍｍとした。
図５において、ハンド把持部２８を手で持って、前記対象部位である毛髪部を梳くための梳きパイル群２９で前記毛髪部を梳くと同時に、梳きパイル部２９からのテラヘルツ波帯の電磁波の放射と、前記超音波振動が前記毛髪部に付与され、前記毛髪部とその根元部を活性化する構造とした。
高周波電圧の供給コ−ド部３０は、図示してない高周波電圧発振器から、高周波電圧を印加するためのコ−ド端末部である。【００６２】  図６は、図５に描くヘアブラシのＬ−Ｌ断面略図である。
図１の左図（Ａ）に対応している図６は、振動伝達部材３５を使用した場合の図５におけるＬ−Ｌ断面略図である。
図６に描く如く、超音波振動発振素子２０は振動伝達部材３５の下側に接合し、振動伝達部材３５を介して、前記焼結複合鉱体の前記集合体によって形作られた作用部である梳きパイル群２９を構成する梳きパイル３６の根元ベ−ス部３７と接合している。【００６３】  次に、使用した各部材の説明をする。超音波振動発振素子２０としては、チタン酸ジルコン酸鉛（ＰＺＴ）系の発振周波数３６ｋＨｚ圧電共振子を用いた。
超音波振動発振素子２０に所要の高周波電力を供給する高周波電圧発振器は、実施例１に記載の高周波電圧発振器と同様とした。【００６４】  図６における振動伝達部材３５は矩形で、図において幅が４５ｍｍ、奥行き長が９０ｍｍ、厚さが５ｍｍのステンレス鋼板を用いた。
前記焼結複合鉱体の前記集合体によって形作られた前記作用部である梳きパイル群２９と、これと一体の下側の前記焼結複合鉱体の集合体によって形作られた根元ベ−ス部３７は、ポリエステル樹脂に、粒径が５〜１２０ｕｍの粉体の前記焼結複合鉱体を、前記ポリエステル樹脂に対し４０％混合した混合樹脂とし、梳きパイル３６の形状に成形して得た。
図６において、超音波振動発振素子２０と振動伝達部材３５間、振動伝達部材３５と前記焼結複合鉱体の前記集合体によって形作られたベ−ス部３７間の接合は、エポキシ系の接着剤で接着接合した。【００６５】  以上の如く試作した、高周波電圧発振器から３６ｋＨｚの高周波電圧を、超音波振動発振素子２０に印加し、３６ｋＨｚの超音波振動を発振させた。
評価方法としては、試作した図６に示すヘアブラシについて、被検者として２０〜４０代の女性３名と男性３名に、通常用いているヘアブラシに替えて１５日間使用させた。
結果としては、毛髪がしっとりとして整髪し易くなると共に、フケの発生やかゆみが無くなり、また毛髪の濃度が上がるなどの養毛作用の効果が確認された。
【実施例３】
【００６６】  図７は、本発明を適用した別タイプのヘアブラシの側面略図で、図５に描くアブラシのＬ−Ｌ断面略図である。
図７のケ−シング４６は、ポリエステル樹脂製とし、試作したヘアブラシのサイズは、実施例２の断面略図に示す図６に記載のサイズと同様にした。【００６７】  図１の左図（Ａ）に対応している、図７における左図（Ｅ）は、振動伝達部材４５を使用した場合の断面略図である。
超音波振動発振素子２０は振動伝達部材４５の下側に接合し、前記焼結複合鉱体の前記集合体によって形作られた梳きパイル４２と、梳きパイル４２を植える同じ材料のベ−ス部４３の下側に、振動伝達部材４５を接合した。
図１の右図（Ｂ）に対応している、図７における右図（Ｆ）は、振動伝達部材を使用せずに、超音波振動発振素子２０が直接に前記焼結複合鉱体の前記集合体によって形作られた梳きパイル４２を植える同じ材料のベ−ス部４４の下側に接合している場合である。【００６８】  次に、使用した各部材の説明をする。超音波振動発振素子２０としては、チタン酸ジルコン酸鉛（ＰＺＴ）系の発振周波数６．４ＭＨｚの圧電共振子を用いた。
超音波振動発振素子に所要の高周波電圧を印加する高周波電圧発振器は、実施例１に記載の高周波電圧発振器と同様にした。【００６９】  図７の左図（Ｅ）における振動伝達部材４５はステンレス鋼板を用い、サイズと材質は実施例２に記載する振動伝達部材３５と同様とした。
左図（Ｅ）において、前記焼結複合鉱体の前記集合体によって形作られた線状体の梳きパイル４２、梳きパイル４２を植える前記梳きパイルと同じ材料のベ−ス部４３。
また、右図（Ｆ）において、前記焼結複合鉱体の前記集合体によって形作られた線状体の梳きパイル４２、これに梳きパイル４２を植える前記梳きパイルと同じ材料のベ−ス部４４。
前記おのおのの前記線状体の前記梳きパイル４２、および前記梳きパイルを植えるベ−ス部４３ならびに４４は、粒径が５〜１２０μｍの粉体の前記焼結複合鉱体を、前記ステンレス鋼に対し３０％混合した混合材料としたものである。【００７０】  なお、ベ−ス部４３ならびに４４に、線状体である梳きパイ４２を植え付ける方法は、嵌合法とした。
また、図７における、左図（Ｅ）における超音波振動発振素子２０と振動伝達部材４５間、振動伝達部材４５と前記焼結複合鉱体の前記集合体によって形作られたベ−ス部４３間、ならびに右図（Ｆ）における超音波振動発振素子２０と前記焼結複合鉱体の前記集合体によって形作られたベ−ス部４４間の接合は、エポキシ系の接着剤で接着接合した。【００７１】  以上の如く試作した図７の左図（Ｅ）、右図（Ｆ）に示す２種類のヘアブラシに、前記高周波電圧発振器から６．４ＭＨｚの高周波電圧を超音波振動発振素子２０に印加し、６．４ＭＨｚの超音波振動を発生させたた。
評価としは、実施例２と同様に、試作した図７の左図（Ｅ）、右図（Ｆ）に示す２種類のヘアブラシについて、おのおの被検者として２０〜４０代の女性３名と男性３名に、通常用いているヘアブラシに替えて１５日間使用させた。
結果としては、毛髪がしっとりとして整髪し易くなると共に、フケの発生やかゆみが無くなり、また毛髪の濃色度が上がるなど、養毛作用の効果が確認された。
【実施例４】
【００７２】  図８は、本発明を適用したさらに別タイプのヘアブラシの側面略図で、図５に描くアブラシのＬ−Ｌ断面略図である。
図８におけるケ−シング５４は、ポリエステル樹脂製とし、試作したヘアブラシのサイズは、実施例２と同様とした。
図１の左図（Ａ）に対応している図８は、振動伝達部材５３を使用した場合の断面略図で、超音波振動発振素子２０が振動伝達部材５３の下側に接合し、振動伝達部材５３を介して前記焼結複合鉱体の前記集合体によって形作られた梳きパイル５１、これが植えられている同材料の根元ベ−ス部５２を描いている。【００７３】  次に、使用した各部材の説明をする。
超音波振動発振素子２０としては、チタン酸ジルコン酸鉛（ＰＺＴ）系の発振周波数２．１ＭＨｚの圧電共振子を用いた。
超音波振動発振素子に所要の高周波電圧を印加する高周波電圧発振器は、実施例１に記載の前記高周波電圧発振器と同様にした。【００７４】  図８における振動伝達部材５３は、実施例２に記載の振動伝達部材３５と同様とした。
梳きパイル群２９は、前記焼結複合鉱体とステンレス鋼との混合材料である線状体の梳きパイル５１と、普通のポリエステル樹脂の梳きパイル５０との混用パイル群からなるようにしたものである。
つまり、一方の前記焼結複合鉱体の集合体によって形作られた梳きパイル群２９の線状体の梳きパイル５１、これを植える同じ材料であるベ−ス部５２は、粒径が５〜１２０μｍの前記焼結複合鉱体の粉体を３０％混合したステンレス鋼との混合材料とした。
図８において、超音波振動発振素子２０と振動伝達部材５３間、振動伝達部材５３と前記焼結複合鉱体の集合体によって形作られたベ−ス部５２間の接合は、エポキシ系の接着剤で接着接合した。【００７５】  以上の如く試作したヘアブラシに、高周波電力発振器から２．１ＭＨｚの高周波電圧を、超音波振動発振素子２０に印加し、２．１ＭＨｚの超音波振動を発振させた。
評価方法としては、試作した図８に示すヘアブラシについて、被検者として２０〜４０代の女性３名と男性３名に、通常用いているヘアブラシに替えて１５日間使用した。
結果としては、実施例２、３と同様に、毛髪がしっとりとして整髪し易くなると共に、フケの発生やかゆみが無くなり、また毛髪の濃色度が上がるなど、養毛作用の効果が確認された。
【実施例５】
【００７６】  図９は、本発明を適用した足温器の縦断面略図である。
図９の足温容器５８のサイズは、平面部が円形で、底部の径が４００ｍｍ、高さが４５０ｍｍとし、材質はポリエステル樹脂製とした。
図９における左図（Ｇ）は、振動伝達部材６３を使用した場合の縦断面略図である。
容器温湯部６０の底部に、前記焼結複合鉱体の前記集合体によって形作られた板状体６２を備え、足温器の容器５８の底盤部６１と振動伝達部材６３を介して、その下側に超音波振動発振素子６４がの下側に接合している構造である。
これに対し、図９の右図（Ｈ）は、前記振動伝達部材を使用せずに、容器温湯部６０の底部に、前記焼結複合鉱体の前記集合体によって形作られた板状体６２を備え、足温器の容器５８の底盤部６５を介してその下側に直接に超音波振動発振素子６４が接合している。【００７７】  図９の破線５９は、使用時の温湯のレベルを示す。
図９において、左図（Ｇ）および右図（Ｈ）とも、対象部位である足部を容器温湯部６０で前記足部を温湯浴すると同時に、前容器温湯部６０の前記底部に備えられた前記焼結複合鉱体の前記集合体によって形作られた板状体６２からのテラヘルツ波帯の電磁波の放射と、前記超音波振動が前記足部に付与され、前記足部を活性化する構造である。
超音波振動素子６４に印加する高周波電圧は、図示してない実施例１と同様な前記高周波電圧発振器から前記足温器に供給される。【００７８】  次に、使用した各部材の説明をする。図９の超音波振動素子６４としては、チタン酸ジルコン酸鉛（ＰＺＴ）系の発振周波数５４ｋＨｚの圧電共振子を用いた。
図９の左図（Ｇ）における振動伝達部材６３は、円形で直径１５０ｍｍ、厚さ５ｍｍのステンレス鋼板を用いた。
焼結複合鉱体の集合体によって形作られた板状体６２は、左図（Ｇ）、右図（Ｈ）ともに実施例１に記載の摺動面状体２２ならびに２３と同様な、ニッケル・銅合金に対し前記焼結複合鉱体の粉体５０％を混合した板状体とした。
板状体６２のサイズは、円形で直径１５０ｍｍ、厚さは平均９ｍｍとし、テラヘルツ波帯の電磁波の放射と前記超音波振動の温湯中の広がりを得るため上部に凹凸をつけた。【００７９】  図９の左図（Ｇ）において、超音波振動発振素子６４と振動伝達部材６３間、振動伝達部材６３と足温容器５９の底盤部６１の裏側間、底盤部６１の表側と板状体６２間の接合は、エポキシ系の接着剤で接着接合した。
また、図９の右図（Ｈ）において、超音波振動発振素子６４と足温容器５９の底盤部６５の裏側、底盤部６５の表側と板状体６２間の接合はエポキシ系の接着剤で接着接合した。【００８０】  以上の如く試作した図９の左図（Ｇ）ならびに右図（Ｈ）の２種類の足温器において、超音波振動発振素子６４に、実施例１に記載の高周波電圧発振器から５４ｋＨｚの高周波電圧を、超音波振動発振素子６４に印加し、５４ｋＨｚの超音波振動を発振させた。
超音波振動のパワ−は板状体６２の表面において、各１Ｗ／ｃｍ２になるようにした。【００８１】  評価方法としては、試作した図９の左図（Ｇ）および右図（Ｈ）に示す足温器について、被検者として３０〜５０代の女性３名と男性３名に、通常用いている足温器使用の場合に準拠して、１日に２０分間３回とし、１５日間使用して評価した。
結果として何れの被検者にも、その程度の差異はあったが、足部のマッサ−ジ作用や、足の皮膚の活性化作用が発揮されて、足の皮膚を滑らかで張りのある状態にする効果が発揮された。
【実施例６】
【００８２】  図１０は、本発明を適用した他のタイプの足温器の縦断面略図である。
図１０の足温容器５８の材質とサイズなどは実施例５と同様とし、図１０に描く破線６８は高周波電圧の入力コ−ドを示している。
図１の左図（Ａ）に対応している図１０においては、前記焼結複合鉱体の前記集合体によって形作られた板状体６２、振動伝達部材６３、および超音波振動発振素子６４を一体物として密封パック６６として、足温器の容器５８の前記底部に備えている例である。【００８３】  図１０の破線５９は、使用時の温湯のレベルを示す。
図１０において、対象部位である足部を容器温湯部６０で前記足部を温湯浴すると同時に、前容器温湯部６０の前記底部に設置するところの、密封パック６６中の前記焼結複合鉱体の前記集合体によって形作られた板状体６２からのテラヘルツ波帯の電磁波の放射と、、超音波振動発振素子６４からの前記超音波振動が前記足部に付与され、前記足部を活性化する構造である。
超音波振動発振素子６４に印加した高周波電圧は、図示してないが実施例１と同様な前記高周波電圧発振器から供給し、実施例５と同様に５４ｋＨｚの超音波振動を発振させた。【００８４】  図１０における各部材である超音波振動素子６４、振動伝達部材６３、および前記焼結複合鉱体の集合体によって形作られた板状体６２の仕様、材料、サイズ、接合方法などは実施例５の場合と同様とした。
図１０において、密封パック６６における密封パックの包材６７は、耐水性があり気体透過性の低いポリエステル系樹脂製として内部の気密性を高めた。
このように、前記焼結複合鉱体の集合体によって形作られた板状体６２、振動伝達部材６３および超音波振動発振素子６４を一体物として密封パック６６とすれば、既存の温湯浴のみの足温器の底部に沈めて設置するだけで、足部の温湯浴中にテラヘルツ波帯の電磁波の放射と超音波振動が前記足部に付与され、前記足部を活性化することができる。【００８５】  以上の如く試作した図１０に示す足温器において、超音波振動発振素子６４に、実施例１に記載と同様な高周波電圧発振器から、実施例６と同様に５４ｋＨｚの高周波電圧を超音波振動発振素子６４に印加して、５４ｋＨｚの超音波振動を発振させて評価した。
評価方法としては、試作した図１０に示す足温器について、被検者として３０〜５０代の女性３名と男性３名に、通常用いている足温器使用の場合に準拠して、１日に２０分間３回とし、１５日間使用して評価した。
結果としては、足実施例５の場合と同様に、何れの被検者についても、その程度の差異はあったが、足部のマッサ−ジ作用や、足の皮膚の活性化作用が発揮されて、足の皮膚を滑らかで張りのある状態にする効果が発揮された。
【実施例７】
【００８６】  図１１は、本発明を適用した研摩器の斜視略図であり、自動車のボデイなどの対象部位である被研摩部を研摩する研摩器である。
図１１において、取っ手７３を手で持って、対象部位である前記被研摩部を摺動研摩部７１で摺動研摩すると同時に、摺動研摩部７１からのテラヘルツ波帯の電磁波の放射と、前記超音波振動が前記被研摩部に付与され、前記被研摩部を活性化して払拭性などを高める構造である。
前記研摩器のサイズは、図１１の後方の短辺である幅方向の長さは１３０ｍｍ、長辺の中央部の長さが１８０ｍｍとした。
図１１において、ポリエステル系樹脂製の前記研摩器の上部のケ−ス部７０の下部に作用部である摺動研摩部７１を設け、研摩器ケ−ス部７０の上面凸面部７２には、手で握って研摩操作をする取っ手７３、研摩器ケ−ス部７０中に備えられている高周電圧発振器への電源をオン・オフする電源スイッチ、および電池ボックスの蓋７４を描いている。【００８７】  図１２は、図１１に描く前記研摩器のＭ−Ｍ断面略図である。
図１２の研摩器ケ−ス部７０において、ケ−ス部７０の上面凸部７２には、取っ手７３、電池ボックスの蓋７４の下部には電池をセットする電池ボックス７８を備え、超音波振動発振素子７５に高周波電圧を供給する高周電圧発振器７７が備えられている。
ケ−ス部７０の下部には、摺動研摩部７１が設けられていて、摺動研摩部７１の上部には超音波振動発振素子７５が振動伝達部材７４を介して接合されている。
各前記接合は、エポキシ系接着剤によって接合した。【００８８】。
図１２において、超音波振動発振素子７５としては、チタン酸ジルコン酸鉛（ＰＺＴ）系の発振周波数４３ｋＨｚの圧電共振子を用いた。
高周波電圧発振器７７にて、周波数４３ｋＨｚの高周波電圧を超音波振動発振素子７５に印加し、周波数４３ｋＨｚの超音波振動を発振させ、振動伝達部材７４を介して、摺動研摩部７１に超音波振動を伝える構造とした。【００８９】  次に、各材質などについて説明する。  ケ−ス部７０はポリエステル樹脂製とした。
図１２における振動伝達部材７４は、図において幅方向が１１０ｍｍ、図において奥行方向が１６０ｍｍ、厚さ３ｍｍのステンレス鋼板を用いた。
前記焼結複合鉱体の集合体によって形作られる本来作用部である摺動研摩部は、前記焼結複合鉱体の粉末で粒径５〜１２０μｍを６０％、ポリウレタン系樹脂４０％の混合体によって、弾力性のある低発泡シ−トとした。
図１２において、超音波振動発振素子７５と振動伝達部材７４間、振動伝達部材７４と摺動研摩部７１間の接合は、エポキシ系の接着剤で接着接合した。【００９０】  以上の如く試作した、ケ−ス部７０内に備えた高周波電圧発振器７７から４３ｋＨｚの高周波電圧を超音波振動発振素子７５に印加し、４３ｋＨｚの超音波振動を発振させた。
評価方法として、乗用車のボデイ部を研摩したところ、従来の同様な型式の研摩器に比較して、被研摩部である前記ボデイ部の表面の活性化によって、被研摩部の見かけの表面張力を低める作用などが得られ、汚れ払拭性を高め、洗剤の使用が少なくて済むか、あるいは洗剤不要の効果を発揮した。
【産業上の利用可能性】
【００９１】  赤外線照射などによって、テラヘルツ波帯の電磁波を放射するケイ素化合物を主体とする焼結複合鉱体に超音波振動を与えて、前記電磁波の放射強度を高める方法および装置の提供ができた。
前記電磁波の放射強度を高める方法および装置の提供自体も、テラヘルツ波帯の電磁波を利用する産業界、あるいは超音波を利用する産業界に資するところが大きい。【００９２】  さらに、かように高められたテラヘルツ波帯の電磁波の放射を、超音波振動と共用して、生体や物体の表層部を活性化することによる、種々な具体的な作用効果を得る道を開いたものである。
すなわち、生体分野においては、美顔器、ヘアブラシ、あるいは足温器などへの適用で、それぞれの適用部位の皮膚層の新陳代謝を促し、滑らかで張りのある状体に保つ分野への適用に道を開いた。
また、皮膚関連ばかりでなく、耳の機能回復や耳鳴りなどの聴覚のケア面、また、目の筋肉活動のケア面など、生体の他の機能部分への適用の可能性があことが実証された。
なた、物体分野においては、物体の表層の活性化作用があるので、研摩器への適用によって研摩器の払拭性を高めるなどの作用があり、多方面の適用の可能性がある。
本発明は以上の如く、テラヘルツ波帯の電磁波の放射の利用分野、超音波振動の利用分野、ならびにこれらの共用分野などへのヒントを提供したことも含め、産業上の利用可能性が高く、産業界に資するところが大きい。
【図面の簡単な説明】
【００９３】
【図１】  テラヘルツ波帯電磁波と超音波振動の共用作用を対象部位に付与する概念の側面略図
【図２】  テラヘルツ波帯の電磁波における波数と反射率との関係のグラフ
【図３】  プロ−ブ型美顔器の斜視略図
【図４】  プロ−ブ型美顔器の作用部の断面略図
【図５】  ヘアブラシの側面略図
【図６】  ヘアブラシの作用部の側面略図
【図７】  ヘアブラシの作用部の別例の側面略図
【図８】  ヘアブラシの作用部のさらに別例の側面略図
【図９】  足温容器部の断面略図
【図１０】  別例の足温器容器部の断面略図
【図１１】  研摩器の斜視略図
【図１２】  研摩器の作用部の断面略図
【符号の説明】
【００９４】  １  テラヘルツ波帯の電磁波を放射するケイ素化合物主体の焼結複合鉱体の集合体によって形作られた作用部
２  振動伝達部材
３  超音波振動発振素子
４  対象部位
５  変調に使われる超音波振動
６  対象部位に至る超音波振動
７  作用部の表面
８  テラヘルツ波帯の電磁波
１４  摺動面状体の摺動面
１５  高周波電圧入力コ−ド
１６  ハンド把持部
２０  超音波振動発振素子
２１  振動伝達部材
２２  焼結複合鉱体の集合体によって形作られた摺動面状体
２３  焼結複合鉱体の集合体によって形作られた摺動面状体
２４  ケ−シング
２８  ハンド把持部
２９  梳きパイル群
３０  高周波電圧入力コ−ド
３５  振動伝達部材
３６  焼結複合鉱体の集合体によって形作られた梳きパイル
３７  焼結複合鉱体の集合体によって形作られた梳きパイルの根元ベ−ス部
３８  ケ−シング
４２  焼結複合鉱体の集合体によって形作られる梳きパイル
４３  焼結複合鉱体の集合体によって形作られた梳きパイルの根元ベ−ス部
４４  焼結複合鉱体の集合体によって形作られた梳きパイルの根元ベ−ス部
４５  振動伝達部材
４６  ケ−シング
５０  普通の合成樹脂製梳きパイル
５１  焼結複合鉱体の集合体によって形作られた梳きパイル
５２  焼結複合鉱体の集合体によって形作られた梳きパイルの根元ベ−ス部
５３  振動伝達部材
５４  ケ−シング
５８  足温器の容器部
５９  温湯のレベル
６０  容器温湯部
６１  足温器の容器部の底盤部
６２  焼結複合鉱体の集合体によって形作られた板状体
６３  振動伝達部材
６４  超音波振動発振素子
６５  足温器の容器部の底盤部
６６  焼結複合鉱体の集合体によって形作られた板状体と振動伝達部材と超音波振動発振素子の密封パック
６７  密封パックの包材
６８  破線；高周波電圧の入力コ−ド
７０  研摩器のケ−ス部
７１  焼結複合鉱体の集合体によって形作られた摺動研摩部
７２  上面凸面部
７３  取っ手
７４  電池ボックス部の蓋部
７５  超音波振動発振素子
７７  高周波電圧発振器
７８  電池ボックス
７９  電源スイッチ
ａ  超音波振動を付与した状態の焼結複合鉱体からのテラヘルツ波帯の電磁波の反射率
ｂ  焼結複合鉱体からのテラヘルツ波帯の電磁波の反射率
ｃ  比較試料の通常ケイ素の反射率
【図１】
2009240749.tif 000003
【図２】
2009240749.tif 000004
【図３】
2009240749.tif 000005
【図４】
2009240749.tif 000006
【図５】
2009240749.tif 000007
【図６】
2009240749.tif 000008
【図７】
2009240749.tif 000009
【図８】
2009240749.tif 000010
【図９】
2009240749.tif 000011
【図１０】
2009240749.tif 000012
【図１１】
2009240749.tif 000013
【図１２】
2009240749.tif 000014